(57)【要約】  本発明は、電気コネクタ要素（１）であって、電気接点要素（１００）ための少なくとも１つの接点受容部材（７）を有し、前記電気接点要素（１００）がその終端位置（Ｆ）まで挿入方向（Ｅ）に前記少なくとも１つの接点受容部材（７）内に挿入されることができ、係止部材（９）を有し、前記係止部材（９）によって前記接点要素（１００）がその係止位置（Ｌ）において前記挿入方向（Ｅ）の反対方向に前記少なくとも１つの接点受容部材（７）から外れないように前記終端位置（Ｆ）に固定されることができ、且つ前記係止位置（Ｌ）における前記係止部材（９）をその固定位置（Ｂ）に保持する固定部材（１３）を有する電気コネクタ要素（１）に関する前記接点受容部材（７）から外れないように前記接点要素（１００）をより良く固定するために、本発明によれば、前記固定位置（Ｂ）における前記固定部材（１３）が、前記少なくとも１つの接点受容部材（７）内に少なくとも部分的に突出すること、及びその結果として前記接点要素（１００）が、前記挿入方向（Ｅ）の反対方向に前記少なくとも１つの接点受容部材（７）が外れないように更に固定されることができることが提供される。【選択図】図３
2014514719.tif 000002
【特許請求の範囲】
【請求項１】
電気コネクタ要素（１）であり、電気接点要素（１００）ための少なくとも１つの接点受容部材（７）を有し、前記電気接点要素（１００）がその終端位置（Ｆ）まで挿入方向（Ｅ）に前記少なくとも１つの接点受容部材（７）内に挿入されることができ、係止部材（９）を有し、前記係止部材（９）によって前記接点要素（１００）がその係止位置（Ｌ）において前記挿入方向（Ｅ）の反対方向に前記少なくとも１つの接点受容部材（７）から外れないように前記終端位置（Ｆ）に固定されることができ、且つ前記係止位置（Ｌ）における前記係止部材（９）をその固定位置（Ｂ）に保持する固定部材（１３）を有する電気コネクタ要素（１）であって、前記固定位置（Ｂ）における前記固定部材（１３）が、前記挿入方向（Ｅ）の反対方向に前記少なくとも１つの接点受容部材（７）から外れないように前記接点要素（１００）を更に固定するために、前記少なくとも１つの接点受容部材（７）内に少なくとも部分的に突出し、前記固定位置（Ｂ）において前記固定部材（１３）上の掛止要素（１５ａ）が、前記少なくとも１つの接点受容部材（７）に隣接する前記コネクタ要素（１）の対になる掛止要素（２２）と係合することができること、及び前記固定部材（１３）が、前記電気接点要素（１００）を前記挿入方向（Ｅ）の反対方向に前記１つの接点受容部材（７）から外れないように固定するように設計された係止面（１５ｃ）を有することを特徴とする電気コネクタ要素（１）。
【請求項２】
前記固定部材（１３）が、前記固定位置（Ｂ）において少なくとも部分的に開口（２０）を通って前記少なくとも１つの接点受容部材（７）内に延在し、前記挿入方向（Ｅ）への突出で前記少なくとも１つの接点受容部材（７）と重なり合うことを特徴とする請求項１に記載の電気コネクタ要素（１）。
【請求項３】
前記固定部材（１３）が少なくとも前記固定位置（Ｂ）において、前記挿入方向（Ｅ）に対して横断する方向に延在する垂直方向（Ｚ）の反対方向に及び／又は前記垂直方向（Ｚ）に対して横断する方向且つ前記挿入方向（Ｅ）に対して横断する方向に延在する前記コネクタ要素（１）の横断方向（Ｙ）に前記少なくとも１つの接点受容部材（７）内に突出することを特徴とする請求項１又は２に記載の電気コネクタ要素（１）。
【請求項４】
前記固定部材（１３）が前記固定位置（Ｂ）において、前記挿入方向（Ｅ）に対して横断する方向に前記係止部材（９）の横方向を支持することを特徴とする請求項１乃至３のいずれか一項に記載の電気コネクタ要素（１）。
【請求項５】
前記固定部材（１３）の固定部（１５）が前記固定位置（Ｂ）では、少なくとも１つの接点要素（１００）の保持部（１０２）の上流側で前記挿入方向（Ｅ）における前記終端位置（Ｆ）に配置されることができることを特徴とする請求項１乃至４のいずれか一項に記載の電気コネクタ要素（１）。
【請求項６】
前記固定部材（１３）が少なくとも前記固定位置（Ｂ）において前記コネクタ要素（１）の外壁部（２４）と面一であることを特徴とする請求項１乃至５のいずれか一項に記載の電気コネクタ要素（１）。
【請求項７】
前記固定部材（１３）を嵌め込むための前記コネクタ要素（１）の部分が前記挿入方向（Ｅ）を向いていることを特徴とする請求項１乃至６のいずれか一項に記載の電気コネクタ要素（１）。
【請求項８】
前記固定部材（１３）が前記コネクタ要素（１）のハウジング部材（２）にヒンジ接続されることを特徴とする請求項１乃至７のいずれか一項に記載の電気コネクタ要素（１）。
【請求項９】
前記固定部材（１３）が、略前記挿入方向（Ｅ）を又はその反対方向を及び／又は前記コネクタ要素（１）の接続方向（Ｓ）を向いた前記コネクタ要素（１）の表面（１７）の箇所で前記コネクタ要素（１）に接続されることを特徴とする請求項１乃至８のいずれか一項に記載の電気コネクタ要素（１）。
【発明の詳細な説明】
【技術分野】
【０００１】
本発明は、特に電気プラグ型コネクタの一部としての電気コネクタ要素に関し、この電気コネクタ要素は、電気接点要素のための少なくとも１つの接点受容部材を有し、この電気接点要素は前記少なくとも１つの接点受容部材内にその終端位置まで挿入方向に挿入されることができ、この電気コネクタ要素は係止部材を有し、この係止部材によって、係止位置にある接点要素が、挿入方向とは反対方向に前記少なくとも１つの接点受容部材から取り外されないように前記終端位置に固定されることができ、また、この電気コネクタ要素は、前記係止位置にある係止部材をその固定位置に保持する固定部材を有する。
【背景技術】
【０００２】
このようなコネクタ要素は従来の技術から知られている。例えば、米国特許第６，０２４，６０５号明細書には、「インライン」コネクタ要素、即ち、所謂１８０°コネクタが開示されており、このコネクタでは、弾性的に撓むことができる掛止部又は掛止板の形状の係止部材が、インテグラルヒンジによってコネクタ要素のハウジング部材に接続されるカバーによって夫々の係止位置に保持される。
【０００３】
更に、米国特許第５，１００，３４５号明細書には汎用型のコネクタ要素が開示されており、このコネクタ要素では、接点要素用掛止部材が、ハウジング部材に変位可能に結合されることができるように構成されるカバーによって係止位置に固定される。
【０００４】
従来の技術から知られるコネクタ要素の欠点は、係止部材によって行われる接点主係合を補完し、接点要素の夫々の終端位置での正確な着座のチェックを支援する付加的な、所謂第２の接点固定手段が、困難を伴ってのみ可能であることである。
【発明の概要】
【発明が解決しようとする課題】
【０００５】
これらの欠点に鑑み、本発明の目的は、接点要素が接点受容部材から外れることをより良く防止すること、及び接点要素の夫々の終端位置での正確な着座のチェックを容易にすることである。
【課題を解決するための手段】
【０００６】
この目的は、本発明によれば、接点要素が挿入方向の反対方向に少なくとも１つの接点受容部材から外れないように更に固定するために固定部材が固定位置において前記少なくとも１つの接点受容部材内に少なくとも部分的に突出することによって達成される。即ち、接点要素は更に固定部材に対して直接固定されることができる。
【０００７】
この解決法は、固定部材が第２の接点固定手段として機能することによって更なる機能を実行することができるという利点を有する。更に、固定部材を使用して接点要素の位置がチェックされることができる。また、固定部材は、固定部材によって行われる主係合を確実にすることを支援する。更に、例えば、接点要素の保持部、所謂接点ボックスの後方に達することによって、挿入方向の反対方向に接点要素を引き出すのに必要な接点取外し力を増加させることができる。
【０００８】
本発明に従うこの解決法は、夫々がそれ自体で有利である以下の更なる実施形態と自由に組み合わせて更に改良されることができる。
【０００９】
従って、第１の有利な実施形態によれば、固定部材は、固定位置において、少なくとも部分的に開口を通って少なくとも１つの接点受容部材内に延出すること及び挿入方向への突出でこの少なくとも１つの接点受容部材と重なり合うことが提供される。開口を介して、固定部材は、非常に単純な方法で接点受容部材内に移動され、例えば、コネクタ要素の外側から開口を通って側面から及び／又は上方から接点受容部材内に延出することができる。従って、この開口によって、接点受容部材へ横方向及び／又は垂直方向から接触が可能になる。接点受容部材と重なり合うことによって、その断面が、断面の減少領域において接点要素が阻止されるように所望の箇所で減少される。
【００１０】
終端位置における接点要素の阻止又は更なる係止は、固定部材が、少なくとも固定位置において、挿入方向に対して横断する方向に延在する垂直方向の反対方向及び／又はこの垂直方向に対して横断する方向且つ挿入方向に対して横断する方向に延在するコネクタ要素の横断方向に少なくとも１つの接点受容部材内に突出することによって、単純な方法で行われることができる。
【００１１】
係止部材の起動経路の方向にもよるが、固定部材が固定位置において挿入方向に対して横断する方向に係止部材の側方を支持することが提供されてもよい。本例において、側方支持とは、係止部材の起動経路又は跳ね返り経路が垂直方向と略平行に延在し、係止部材が起動経路に対して横断する方向に支持されることを意味する。その結果、係止部材は、横方向に移動しないように固定され、或いは横方向が保持され、それによって、係止の剛性が増加し、係止部材への損傷の防止を支援する。
【００１２】
固定部材による接点要素の固定を補完する終端位置における接点要素の固定や確保は、固定部材の固定部が固定位置において、挿入方向に少なくとも１つの接点受容部材の保持部の上流で終端位置に配置されることができることによって実現されることができる。保持部又は接点ボックスは、接点要素を固定するために、例えば、係止部材及び固定部材の両方によって使用される。この例において、係止部材及び保持部材が挿入方向において同一の高さに配置されることは必ずしも必要ではない。或いは、固定部材又はその固定部は、例えば、係止部材が機能しない場合にのみ固定部材が支えられるように、係止部材の挿入方向上流で僅かにずらして配置されることができる。
【００１３】
係止部材及び／又は固定部材を固定する部分は、固定部材上の掛止要素が固定位置において、少なくとも１つの接点受容部材に隣接するコネクタ要素の対になる掛止要素と係合することができることによって他の機能を実行してもよい。掛止要素は、例えば、固定部材の固定部上に又は固定部材の固定部として形成され、この固定部は、例えば、係止部材のための押さえ部、接点要素のための係止面、掛止突起及び／又は接点要素が正確に取り付けられていないコネクタ要素同士を早まって組み付けてしまわないようにするための阻止要素を有する。
【００１４】
固定部材は、少なくとも固定位置において、コネクタ要素の外壁部と面一に配置されることができる。一方で、コネクタ要素から突出する固定部材の部分は、結果的に、損傷を受けたりその取扱いがより難しくなったりすることが防止されることができる。他方で、阻止要素として機能する固定部材の部分は、接点要素が正確に取り付けられていないコネクタ要素同士を早まって組み付けないようにするために、予備固定位置では前記外壁部から上方に突出する。固定位置では、この阻止要素が、コネクタ要素と嵌合コネクタ要素の組み付けを可能にするようにコネクタ要素に埋め込まれることができる。
【００１５】
固定部材又はそのコネクタ要素に対する固定を損傷から保護するための他の可能性として、固定部材を嵌め込むためのコネクタ要素の部分が挿入方向を向き且つ／又はコネクタ要素の外壁部に対して横断する方向に延在することを含む。その結果、任意でコネクタ要素を取り扱う際に、特に固定部材の阻止要素が予備固定位置において嵌合コネクタの組み付けを防止する際に、接続に作用する力が固定部材からハウジング部材へより良く伝達されることができる。
【００１６】
固定部材は、ハウジング部材に対してヒンジ接続されることによって単純な方法でハウジング部材に接続されることが有利である。これにより、固定部材が取り外し不能な方法でハウジング部材に填め込まれることができる。固定部材及びハウジング部材はこのように一体的に構成されてもよい。
【００１７】
特に固定部材がハウジング部材にヒンジ接続される場合、固定部材が略挿入方向且つ／又はコネクタ要素の接続方向を向いたコネクタ要素の面においてコネクタ要素に接続されることによってヒンジが損傷から保護される。
【００１８】
本発明は、考え得る実施形態及び添付の図面を参照して以下により詳細に記述される。これらの実施形態に例示される特徴の組み合わせは単に例示することを目的とするものである。個々の特徴は、その特徴の利益が特定の用途において重要ではない場合は、上述のそれらの利益に従って省略されてもよい。
【図面の簡単な説明】
【００１９】
【図１】予備固定位置に固定部材を有する本発明に従うコネクタ要素の概略斜視断面図である。
【図２】固定部材が固定位置にある状態の図１に例示されたコネクタ要素の概略斜視断面図である。
【図３】図１及び図２に示されたコネクタ要素の概略斜視詳細図であり、コネクタ要素の接点受容部材における固定部材の係合領域において部分的に断面を示す。
【発明を実施するための形態】
【００２０】
まず図１に示される概略斜視断面図を参照して本発明に従うコネクタ要素１の構造が説明される。コネクタ要素１はハウジング部材２を有する。ハウジング部材２には挿入部３及び導体受容部４が形成される。挿入部３は、嵌合コネクタ要素（図示せず）の嵌合コネクタ部に接続されることができるように構成される。コネクタ要素１及び嵌合コネクタ要素は電気プラグ型コネクタの一部でもよい。
【００２１】
挿入部３内には挿入開口５を介してアクセス可能な嵌合コネクタ受容部材６が形成される。嵌合コネクタ受容部材６内には、ピン接点形状の２つのプラグ型接点１０１が配置され、いずれのプラグ型接点１０１も接点要素１００上に形成される。プラグ型接点１０１は、本実施形態において接点要素１の長手方向Ｘと略平行に延在するコネクタ要素１の挿入方向Ｓと略平行に延在する。本例では、長手方向Ｘに対して横断するように延在するコネクタ要素の横断方向Ｙに２つの接点要素１００が互いに隣接して配置される。長手方向Ｘと横断方向Ｙはともにコネクタ要素１の垂直方向Ｚに対して実質的に横断するように延在する。
【００２２】
接点要素１００は、夫々、導体受容部４内に形成された接点受容部材７内に保持される。このために、いずれの場合も接点要素１００上に保持部１０２が形成される。更に、接点要素１００は夫々導電体（図示せず）を接点要素１００に固定するための導体固定部１０３を有する。接点挿入開口８を介して接点要素１００はプラグ型接点１０１を前方にして長手方向Ｘと略平行に延在する挿入方向Ｅにその接点受容部材７内に挿入されることができる。保持部１０２はコネクタ要素１の係止部材９を通過する。
【００２３】
係止部材９は、係止位置Ｌにおいて、長手方向Ｘと略平行に延在する接点受容部材７の長手方向範囲に対して横断する方向に、この場合には垂直方向Ｚの反対方向に、接点受容部材７内に突出する。接点要素１００の導入中に、係止部材９は、係止部材９の下側部材１０の領域においてコネクタ要素に対する弾性固定によって垂直方向Ｚに方向転換する。方向転換が容易になるように、係止部材９には、ほぼ下側部材１０から係止部材９の係止ゾーン１２まで延在する僅かに傾斜した誘導部材１１が形成される。
【００２４】
係止ゾーン１２は、掛止部１２ａ及び押さえ部１２ｂを備える。掛止部１２ａは掛止突起として形成され、その略挿入方向Ｅを向いた掛止面１２ａが、保持部１０２上に形成された接点要素１００の係合領域１０２ａであって図１に示された接点要素１００の終端位置Ｆにおいて挿入方向Ｅとは略反対方向を向いた係合領域１０２ａに当接する。係合領域１０２ａは保持部１０２上の面又は角部として形成される。押さえ部１２ｂ上の押さえ面１２ｂは、少なくとも終端位置Ｆでは、保持部１０２上に形成される押さえ領域１０２ｂ上方に垂直方向Ｚに配置される。押さえ領域１０２ｂを、押さえ領域１０２ｂに当接又は少なくとも近接配置される押さえ部１２ｂの下方に配置させることによって、接点要素１００が垂直方向Ｚに固定又は確保される。
【００２５】
更に、コネクタ要素１は本実施形態の場合のように導体受容部４に固定されることができる固定部材１３を有する。固定部材１３は、起動部１４及び固定部１５を有する。レバー形状の起動部１４は、その外面が起動力を加えるための起動面を提供し、ヒンジ１６を形成することを目的とする固定部材１３の下側部材によってハウジング部材２上に形成される面１７であって略接続及び挿入方向Ｓ又はＥを向いた面１７に固定される。固定部材１３はヒンジ１６によってハウジング部材２に回転移動可能に接続される。その結果、固定部１５は、ここに示された固定部材１３の予備固定位置Ａであって固定部１５が接点受容部材７との係合を解除するように移動された予備固定位置Ａから、固定部材１３の固定位置Ｂ（図２及び図３を参照）に略円形起動経路Ｗに沿って移動されることができる。面１７は、ハウジング部材２から離れる垂直方向Ｚに延在する連続部１８上に形成される。
【００２６】
固定部１５は、起動部１４が固定位置Ｂにおいて長手方向Ｘと略平行になると固定部１５が垂直方向Ｚとは反対方向に起動部１４から離れるように延在することができるように、起動部１４に対して略直角に屈曲するように起動部１４に嵌め込まれる。固定部１５は、掛止要素１５ａ及び押さえ部材１５ｂを備える。掛止要素１５ａは、係止面１５ｃ及び掛止突起１５ｄを有する点で２つの機能を実行する。係止面１５ｃは、掛止面１２ｃに加えて、挿入方向Ｅとは反対方向に動かないように接点要素１００を固定することができるように、接点要素１００の係合領域１０２ａの上流で挿入方向Ｅの固定位置Ｂに着座するように構成される。同様に、掛止突起１５ｄは、固定位置Ｂにおいて固定部材１３を係合するためにハウジング部材上の対になる掛止要素（本例ではまだ説明されていない）と連携するように構成される。
【００２７】
更に、固定部１５は、固定部材１３が予備固定位置Ａにある限りコネクタ要素の嵌合コネクタ要素との完全な接続を防止する表面としての阻止要素１５ｅを提供する。このために、嵌合コネクタ要素は、例えば、固定部材１３が固定位置Ｂに移動されない限りインターロゲーション領域（ｉｎｔｅｒｒｏｇａｔｉｏｎ  ｒｅｇｉｏｎ）例えば嵌合コネクタ要素の縁が阻止要素１５ｅに衝突するように構成される。これは、例えば、接点要素１００が終端位置Ｆに完全に移動されておらず、従って係止ゾーン１２が接点受容部材７の外側上方に移動されることができることを示す。その結果、押さえ部材１５ｂが係止ゾーン１２の起動面１２ｅ上で静止する又はそれによって阻止され、予備固定位置Ａから固定位置Ｂへの固定部材１３の移動を防止する。
【００２８】
図２は、夫々終端位置Ｆにあり且つ係止部材９によって夫々の接点受容部材７内に係止されている２つの接点要素１００を備えるコネクタ要素１を図示する。係止部材９は、係止位置Ｌにおいて予備固定位置Ａから固定位置Ｂへ移動された固定部材１３によって固定される。係止部材９を係止位置Ｌに固定するために、押さえ部材１５ｂは起動面１２ｅ上で静止する又は少なくともそこから小さな間隔を空けて配置され、その結果、係止部材９が上方に移動して係止位置Ｌから外れることが防止される。加えて、固定部材１３は、いずれの場合も、夫々係止部材９に隣接して配置される固定部材１３として形成される２つの掛止要素１５ａによって横断方向Ｙに横切るように係止部材９を固定する。
【００２９】
図３は、２つの掛止要素１５ａのうちの一方が係止部材９のうちの一方に隣接配置されている様子を図示する。固定部１５は、ハウジング部材２の外側から接点受容部材７内に延在する開口２０内に掛止要素１５ａが突出する。開口２０は傾斜した開始部材２１を備える。傾斜した開始部材２１は、掛止突起１５ｄが傾斜した開始部材に沿って案内されることによって予備固定位置Ａから固定位置Ｂへの固定部材１３の移動を容易にし、固定部１５は、掛止突起１５ｄがハウジング部材２上に形成された掛止開口形状の対になる掛止要素２２へスナップ嵌め込みして係合によって固定部材９を固定位置Ｂに固定するまで弾性的に方向転換される。掛止要素１５ａを形成する固定部１５の部分は、係止位置Ｌにおいて係止部材９の横に押圧される。これによって、横断方向と平行の方向に係止部材９が固定部１５と隔壁２３の間に係止される。隔壁２３は、ハウジング部材２上に形成され、２つの接点受容部材７同士を互いから分離させる。
【００３０】
更に、係止面１５ｃは、接点要素１００の係合領域の上流に挿入方向Ｅへ配置され、係止部材９の掛止面１２ｃに加え、接点要素１００がその接点受容部材７から挿入方向Ｅとは反対方向に引っ張られることを防止する。更に、固定部材１３の起動部１４は、固定位置Ｂにおいてハウジング部材の上壁部２４と面一に配置される。即ち、起動部１４はハウジング部材の凹み２５に受容される。
【００３１】
本発明の概念の中では、上述の実施形態からの変形が可能である。例えば、挿入部３は、コネクタ開口５及び嵌合コネクタ受容部材６に従う要件を有してもよく、或いは、例えば、挿入用コネクタとして形成されてもよい。接点要素は、本例ではプラグ型接点１０１として図示されたピン接点又はソケット接点を形成してもよい。導体受容部４は、核接点要素１００に嵌め合うように形成された接点挿入開口８を備えた接点受容部材７を幾つ有してもよい。従って、係止部材９の数は、接点受容部材７の数によって変わる。係止部材９は、夫々の要件に従って形成されてもよく、下側部材１０によってハウジング部材２に弾性接続されてもよい。
【００３２】
固定部材１３を係止部材９の構成に適応させてもよい。固定部材１３は、本書に例示されたように、その押さえ部材１５ｂと共に、垂直方向Ｚへの移動に抗して複数の係止部材９を守ることによって、同時に、例えば本例に示すように掛止要素１５ａによって係止部材９の両側に配置された固定部１５の２つの部分によってこれらの係止部材９の横方向を固定又は確保することによって、これらの係止部材９を固定するように構成されると有利である。更に、必要不可欠というわけではないが、接点受容部材７、係止部材９、及び固定部材１３は、ハウジング部材２上に一体形成される、即ち、ハウジング部材２の一体的コンポーネントとして形成されると有利である。
【００３３】
本発明に従うコネクタ要素１の構成は、本発明に記述された１８０°の変形に制限されず、例えば挿入方向Ｅが接続方向Ｓとは反対方向に曲がるアングルコネクタと共に使用されることもできる。
【符号の説明】
【００３４】
１  コネクタ要素
２  ハウジング部材
３  コネクタ部
４  導体受容部
５  挿入開口
６  嵌合コネクタ受容部材
導体固定部
７  接点受容部材
８  接点挿入開口
９  係止部材
１０  係止部材の下側部材
１１  傾斜した誘導部材
１２  係止ゾーン
１２ａ  掛止部
１２ｂ  押さえ部
１２ｃ  掛止面
１２ｄ  押さえ面
１２ｅ  起動面
１３  固定部材
１４  起動部
１５  固定部
１５ａ  掛止要素
１５ｂ  押さえ部材
１５ｃ  係止面
１５ｄ  掛止突起
１５ｅ  阻止要素
１６  ヒンジ
１７  表面
１８  連続部
２０  開口
２１  傾斜した開始部材
２２  対になる掛止要素
２３  隔壁
２４  上壁部
２５  凹み
１００  接点要素
１０１  挿入接点
１０２  保持部
１０２ａ  係合領域
１０２ｂ  押さえ領域
１０３
Ａ  予備固定部
Ｂ  固定位置
Ｅ  挿入方向
Ｆ  終端位置
Ｌ  係止位置
Ｓ  接続方向
Ｗ  起動経路
Ｘ  長手方向
Ｙ  横断方向
Ｚ  垂直方向
【図１】
2014514719.tif 000003
【図２】
2014514719.tif 000004
【図３】
2014514719.tif 000005
【国際調査報告】
2014514719.tif 000006
2014514719.tif 000007